(57)【要約】【課題】本発明は、回転式インプット機能を有する電子装置を提供することを目的とする。【解決手段】本発明に係る回転式インプット機能を有する電子装置は、通信ユニットを有する処理装置と、処理装置に接続される少なくとも一対の接触パッドが設置された本体と、本体を囲むように設置される少なくとも１つの回動式インプット部材と、を備え、各々の回動式インプット部材は、それぞれ本体の一対の接触パッドに対応し、回動式インプット部材には、少なくとも１つの選択接触点が設けられ、各々の選択接触点は、１つのキャラクターに関連付けられており、回動式インプット部材を回動して、選択接触点が本体の対応する一対の接触パッドに接触すると、一対の接触パッドが導通されて回路を構成し、処理装置は、回路の導通信号によって選択接触点に関連付けられたキャラクターを確定し、且つ通信ユニットを制御して、確定したキャラクターを対応する設備に送信する。【選択図】図３
2012043415.tif 000002
【特許請求の範囲】
【請求項１】
通信ユニットを有する処理装置と、
前記処理装置に接続され且つ互いに接触しない少なくとも一対の接触パッドが設置された本体と、
前記本体を囲むように設置され且つ前記本体を囲んで回動することができる少なくとも１つの回動式インプット部材と、
を備えている回転式インプット機能を有する電子装置であって、
各々の前記回動式インプット部材は、それぞれ前記本体の一対の接触パッドに対応し、前記回動式インプット部材には、少なくとも１つの選択接触点が設けられ、各々の前記選択接触点は、１つのキャラクターに関連付けられており、前記回動式インプット部材を回動して、インプットしようとするキャラクターに対応する前記選択接触点が前記本体の対応する一対の接触パッドに接触すると、一対の前記接触パッドが導通されて回路を構成し、前記処理装置は、前記回路の導通信号によって前記選択接触点に関連付けられたキャラクターを確定し、且つ前記通信ユニットを制御して、確定した前記キャラクターを対応する設備に送信することを特徴とする回転式インプット機能を有する電子装置。
【請求項２】
前記処理装置は、少なくとも１つのドッキングピン及び１つのコモンピンを備え、各々の前記ドッキングピンは、前記本体の対応する一対の前記接触パッドのうちの１つの前記接触パッドに接続され、一対の前記接触パッドのうちの他の１つの前記接触パッドは、前記コモンピンに接続され、一対の前記接触パッドが導通されて回路を構成する場合、前記処理装置は、前記回路に対応するドッキングピンに基づいて、キャラクターの所在位置を確定し、且つ前記回路の導通信号によって前記選択接触点に関連付けられたキャラクターを確定することを特徴とする請求項１に記載の回転式インプット機能を有する電子装置。
【請求項３】
各々の前記選択接触点は異なる抵抗値を有するので、前記選択接触点が対応する一対の接触パッドに接触することで構成される回路の電流も異なり、従って異なる導通信号を生じることを特徴とする請求項２に記載の回転式インプット機能を有する電子装置。
【請求項４】
前記処理装置には所定時間が設定され、前記処理装置が前記回路に電流が流れたことを検出した場合、時間の計測を開始し、電流が持続的に前記所定時間ほど流れると、前記処理装置は前記選択接触点に関連付けられたキャラクターを識別することを特徴とする請求項３に記載の回転式インプット機能を有する電子装置。
【発明の詳細な説明】
【技術分野】
【０００１】
本発明は、回動式インプット機能を有する電子装置に関するものである。
【背景技術】
【０００２】
携帯電話のような電子装置はキーパッドの上に数字０〜９、シンボル＊と＃のような複数のキャラクターを設けている。各々のキャラクターはそれぞれ１つのボタンに対応するので、インプット構造が複雑になり、各々のボタンが一定の空間を占用するので、電子装置の小型化に不利となっている。
【発明の概要】
【発明が解決しようとする課題】
【０００３】
本発明の目的は、前記課題を解決し、インプット構造が簡単であり且つ小型化を実現できる回転式インプット機能を有する電子装置を提供することにある。
【課題を解決するための手段】
【０００４】
本発明に係る回転式インプット機能を有する電子装置は、通信ユニットを有する処理装置と、前記処理装置に接続され且つ互いに接触しない少なくとも一対の接触パッドが設置された本体と、前記本体を囲むように設置され且つ前記本体を囲んで回動することができる少なくとも１つの回動式インプット部材と、を備え、各々の前記回動式インプット部材は、それぞれ前記本体の一対の接触パッドに対応し、前記回動式インプット部材には、少なくとも１つの選択接触点が設けられ、各々の前記選択接触点は、１つのキャラクターに関連付けられており、前記回動式インプット部材を回動して、インプットしようとするキャラクターに対応する前記選択接触点が前記本体の対応する一対の接触パッドに接触すると、一対の前記接触パッドが導通されて回路を構成し、前記処理装置は、前記回路の導通信号によって前記選択接触点に関連付けられたキャラクターを確定し、且つ前記通信ユニットを制御して、確定した前記キャラクターを対応する設備に送信する。
【発明の効果】
【０００５】
本発明の回転式インプット機能を有する電子装置の本体には、少なくとも１つの回動式インプット部材が設置され、前記回動式インプット部材には、少なくとも１つの選択接触点が設けられ、各々の選択接触点は１つのキャラクターに関連付けられており、前記回動式インプット部材を回動して、インプットしようとするキャラクターに対応する前記選択接触点を前記本体の対応する一対の接触パッドに接触させて、一対の前記接触パッドが導通されて回路を構成し、前記回路の導通信号に基づいて、前記選択接触点に関連付けられたキャラクターを識別することができるので、前記電子装置のインプット構造が簡単であり、且つ前記電子装置の小型化が可能である。
【図面の簡単な説明】
【０００６】
【図１】本発明の実施形態に係る回転式インプット機能を有する電子装置の構造を示す概略図である。
【図２】図１に示す回転式インプット機能を有する電子装置の本体と回動式インプット部材との分離状態を示す概略図である。
【図３】図１に示す回転式インプット機能を有する電子装置の各々の部材の電気接続を示す概略図である。
【発明を実施するための形態】
【０００７】
以下、図面を参照して、本発明の実施形態について説明する。
【０００８】
図１は、本発明の実施形態に係る回転式インプット機能を有する電子装置１の構造を示す概略図である。前記電子装置１は、本体１０及び少なくとも１つの回動式インプット部材２０を備える。前記回動式インプット部材２０は、プラスチックのような絶縁材料からなる。前記本体１０は円柱体であり、前記回動式インプット部材２０は環状であり、前記回動式インプット部材２０は、前記本体１０を囲むように設けられ且つ前記本体１０の中心軸を囲んで自由に回動することができる。１つ以上のキャラクターをインプットするために、前記本体１０に複数の前記回動式インプット部材２０を設置する。例えば、１２位のキャラクターをインプットするために、前記本体１０に１２個の前記回動式インプット部材２０を設置する。
【０００９】
図２を参照すると、前記本体１０における前記回動式インプット部材２０を設置するための箇所には、互いに離間し且つ対向する一対の接触パッド３０が設置されており、前記接触パッド３０は、銅、鉄などの導電材料からなる。前記回動式インプット部材２０には、少なくとも１つの選択接触点２０１が設けられ、各々の前記選択接触点２０１は、それぞれ１つのキャラクターに関連付けられており、前記選択接触点２０１の長さは、対向する一対の前記接触パッド３０の間の距離と同じである。本実施形態において、前記回動式インプット部材２０には、別々に０、１、２、３、４、５、６、７、８、９、＊、＃に関連付けられた１２個の選択接触点２０１が設けられ、各々の前記選択接触点２０１の抵抗値が異なる。他の実施形態において、実際の需要に応じて、前記回動式インプット部材２０に他のキャラクターに関連付けられた選択接触点２０１を設けることができる。キャラクターを選択する際、前記回動式インプット部材２０を回動して、必要とするキャラクターに対応する前記選択接触点２０１を前記本体１０の一対の接触パッド３０に接触させる。本実施形態において、前記回動式インプット部材２０の隣り合う２つの前記選択接触点２０１の間の距離は、前記接触パッド３０の長さより大きく、従って一回にただ１つの前記選択接触点２０１を前記本体１０の一対の接触パッド３０に接触させる。
【００１０】
本実施形態において、前記回動式インプット部材２０の外周面には、各々の前記選択接触点２０１に関連付けられたキャラクターのパターンが設けられ、即ち０、１、２、３、４、５、６、７、８、９、＊、＃であり、他の実施形態において、Ｉ、ＩＩ、ＩＩＩ、ＩＶなどを設けることもできる。
【００１１】
図３を参照すると、前記本体１０には、処理装置４０が設置される。前記処理装置４０には、複数のドッキングピンＩ１〜Ｉｎ及び１つのコモンピンＩｐが設けられる。前記本体１０の一対の前記接触パッド３０のうちの１つの前記接触パッド３０は、複数の前記ドッキングピンＩ１〜Ｉｎのうちの１つのドッキングピンＩに接続し、前記本体１０の一対の前記接触パッド３０のうちの他の１つの前記接触パッド３０は、前記コモンピンＩｐに接続し、複数の前記ドッキングピンＩ１〜Ｉｎは、内部回路を介して前記コモンピンＩｐに接続する。前記回動式インプット部材２０を回動して、前記回動式インプット部材２０の１つの選択接触点２０１を前記本体１０の一対の接触パッド３０に接触させると、前記選択接触点２０１、一対の前記接触パッド３０、対応する前記ドッキングピンＩ及び前記コモンピンＩｐから組成する回路が導通され、前記回路は対応する導通信号を生じる。具体的に説明すると、前記処理装置４０は、先ず前記回路に対応するドッキングピンＩに基づいて、キャラクターの所在位置を確定し、各々の前記選択接触点２０１の抵抗値が異なるので、前記選択接触点２０１が導通する回路の電流値も異なり、前記回路は異なる導通信号を生じ、前記処理装置４０は、前記選択接触点２０１が導通する回路の導通信号によって前記選択接触点２０１に関連付けられたキャラクターを確定する。前記処理装置４０には所定時間が設定され、前記処理装置４０が回路に電流が流れたことを検出した場合、時間の計測を開始し、電流が持続的に前記所定時間ほど流れると、前記選択接触点２０１に関連付けられたキャラクターを識別することができる。
【００１２】
前記処理装置４０は、通信ユニット４０１をさらに備え、ユーザーがインプットしたあらゆるキャラクターを確定してから、前記処理装置４０は前記通信ユニット４０１を制御して、確定した前記キャラクターを対応する設備に送信する。例えば、前記回転式インプット機能を有する電子装置１が通信装置である場合、確定したキャラクターに基づいて他の通信装置に対してダイアルアップし、又は前記回転式インプット機能を有する電子装置１を制御装置とする場合、確定したキャラクターに基づいて他の設備（テレビジョン又はエアコン）を制御する。
【００１３】
本実施形態において、前記回転式インプット機能を有する電子装置１を通信装置とする場合、さらに音声入力ユニット、音声出力ユニット、確定ボタン及び取消ボタンを設置し、且つこれらを前記処理装置４０に接続する。前記音声入力ユニットは、ユーザーの音声信号を入力するために用いられ、前記音声出力ユニットは、前記回転式インプット機能を有する電子装置１が受信した音声信号を出力するために用いられ、前記確定ボタンは、目下の操作を確定するために用いられ、前記取消ボタンは、目下の操作を取り消すために用いられ、前記回転式インプット機能を有する電子装置１が双方向通信機能を実現することになる。前記本体１０を中空柱体に設置して、前記音声入力ユニット、前記音声出力ユニット、前記確定ボタン及び前記取消ボタンを前記本体１０の内部に設置する。他の実施形態において、前記本体１０をペンに設置して、通信機能及び書き機能を兼ねて、ユーザーが便利に携帯することができる。
【００１４】
以上本発明を実施例に基づいて具体的に説明したが、本発明は、上述の実施形態に限定されるものではなく、その要旨を逸脱しない範囲において、種々変形可能であることは勿論であって、本発明の保護範囲は、以下の特許請求の範囲から決まる。
【符号の説明】
【００１５】
１  回転式インプット機能を有する電子装置
１０  本体
２０  回動式インプット部材
３０  接触パッド
４０  処理装置
２０１  選択接触点
４０１  通信ユニット
Ｉ１〜Ｉｎ  ドッキングピン
Ｉｐ  コモンピン
【図１】
2012043415.tif 000003
【図２】
2012043415.tif 000004
【図３】
2012043415.tif 000005